【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
サンプルのスペクトルを取得するための小型分光計システムであって、前記小型分光計システムは、
前記サンプルから発する光を検出するように構成されている光検出器と、
前記サンプルと前記光検出器との間に位置する光学フィルタと、
前記光検出器に動作可能に連結されているローカル処理ユニットと、
前記ローカル処理ユニットと通信している通信モジュールと、
前記通信モジュールと通信している遠隔処理ユニットと
を備え、
前記光検出器は、前記検出された光に応答して未加工スペクトルデータを生成するように構成され、
前記ローカル処理ユニットは、前記未加工スペクトルデータを強度データに変換するように構成され、
前記通信モジュールは、前記強度データを前記ローカル処理ユニットから前記遠隔処理ユニットに伝送するように構成され、
前記遠隔処理ユニットは、前記強度データに応答して前記サンプルのスペクトルを生成するように構成されている、小型分光計システム。
【請求項２】
前記遠隔処理ユニットは、スペクトル情報のデータベースを備え、前記スペクトル情報は、未加工検出器データ、前処理検出器データ、または後処理検出器データのうちの１つ以上を含む、請求項１に記載の小型分光計システム。
【請求項３】
前記データベースは、前記サンプルの測定から生成されるサンプルスペクトル情報を用いて更新される、請求項２に記載の小型分光計システム。
【請求項４】
前記データベースは、前記小型分光計システムの一人以上のユーザによって行われた測定から生成されるサンプルスペクトル情報を用いてリアルタイムで連続的に更新される、請求項３に記載の小型分光計システム。
【請求項５】
前記データベースは、前記小型分光計システムの複数のユーザによってアクセス可能であり、それによって、ユーザが、前記測定から生成された前記サンプルスペクトル情報を１人以上の別のユーザと共有することを可能にする、請求項３に記載の小型分光計システム。
【請求項６】
前記サンプルスペクトル情報は、前記サンプル内に存在する１つ以上の物質に対応する１つ以上の分光的特徴を含み、前記データベースを更新することは、分光的特徴が入手可能である物質の数を拡張することを含む、請求項３に記載の小型分光計システム。
【請求項７】
前記データベース内の前記スペクトル情報は、複数の物質のスペクトルを含み、前記遠隔処理ユニットは、前記サンプルのスペクトルを前記複数の物質のスペクトルと比較することにより、前記サンプル内の前記複数の物質のうちの１つ以上の存在を決定するように構成されている、請求項２に記載の小型分光計システム。
【請求項８】
前記遠隔処理ユニットは、前記サンプルのスペクトルのスペクトル分解分析を行うことにより、１つ以上のサンプルスペクトル成分を決定するように構成され、前記遠隔処理ユニットは、前記サンプルスペクトル成分を前記複数の物質のスペクトルの１つ以上のスペクトル成分と比較することにより、前記サンプル内の前記複数の物質のうちの１つ以上の存在を決定するように構成されている、請求項７に記載の小型分光計システム。
【請求項９】
前記遠隔処理ユニットは、前記遠隔処理ユニットに記憶された較正データを使用して、前記強度データの雑音低減および強度データの較正のうちの１つ以上を行うようにさらに構成されている、請求項１に記載の小型分光計システム。
【請求項１０】
前記通信モジュールは、無線通信ネットワーク上で前記強度データを伝送するように構成されている、請求項１に記載の小型分光計システム。
【請求項１１】
前記小型分光計システムは、前記通信モジュールを備える移動通信デバイス内に封入されている、請求項１に記載の小型分光計システム。
【請求項１２】
前記サンプルと前記光検出器との間に位置するフーリエ変換集束要素をさらに備える、請求項１に記載の小型分光計システム。
【請求項１３】
前記小型分光計システムは、いかなる分散光学要素も含まない、請求項１に記載の小型分光計システム。
【請求項１４】
前記光検出器は、２次元検出器アレイを備え、前記光学フィルタは、複数のフィルタ要素を有するフィルタアレイを備える、請求項１に記載の小型分光計システム。
【請求項１５】
前記ローカル処理ユニットは、前記強度データに応答して前記サンプルのスペクトルを生成するようにさらに構成されている、請求項１に記載の小型分光計システム。
【手続補正２】
【補正対象書類名】明細書
【補正対象項目名】０１０８
【補正方法】変更
【補正の内容】
【０１０８】
本発明のさらなる目的は、該サンプルが、薬剤を含む、上記のうちのいずれかで定義されるような方法を開示することである。
本願明細書は、例えば、以下の項目も提供する。
（項目１）
サンプルのスペクトルを取得するための小型分光計システムであって、
前記サンプルから発する光を検出するための光検出器と、
前記サンプルと前記検出器との間に位置する光学フィルタと、
第１のフーリエ変換集束要素と
を備え、
前記小型分光計システムは、いかなる分散光学要素も含まない、小型分光計システム。
（項目２）
前記光学フィルタは、非同調可能フィルタである、項目１に記載の小型分光計システム。
（項目３）
前記第１のフーリエ変換集束要素は、前記光学フィルタと前記光検出器との間に配置され、前記光学フィルタを通過した光は、前記少なくとも１つの集束要素によって前記検出器の感光表面上に分散される、項目１に記載の小型分光計システム。
（項目４）
前記光学フィルタの中心波長は、前記光学フィルタに衝突する光の入射角とともに変化する、項目１に記載の小型分光計システム。
（項目５）
前記光学フィルタは、異なる中心波長を伴う複数のサブフィルタを備えている、項目１に記載の小型分光計システム。
（項目６）
前記光学フィルタは、複数の実質的に平行な細い区画を備え、それらの各々は、サブフィルタを備えている、項目５に記載の小型分光計システム。
（項目７）
前記光学フィルタは、複数の実質的に長方形の領域を備え、それらの各々は、サブフィルタを備えている、項目５に記載の小型分光計システム。
（項目８）
前記光学フィルタは、（ａ）ファブリ・ペローフィルタ、（ｂ）薄膜フィルタ、および（ｃ）干渉フィルタから成る群より選択される、項目１に記載の小型分光計システム。
（項目９）
前記第１のフーリエ変換集束要素は、平凸レンズであり、前記平凸レンズは、その平らな面が前記光検出器に対面し、その湾曲した面が前記光学フィルタに対面するように配置されている、項目１に記載の小型分光計システム。
（項目１０）
第２のフーリエ変換集束要素をさらに備えている、項目１に記載の小型分光計システム。
（項目１１）
前記フーリエ変換集束要素は、
各レンズの前記平らな面が、前記光検出器に対面し、
各レンズの前記湾曲した面が、前記光学フィルタに対面し、
前記２つのレンズの焦線が、ｘ−ｙ面内で異なる軸に沿って配向され、
前記フーリエ変換集束要素の焦点面が、実質的に一致している
ように配置されている平凸円柱レンズである、項目１０に記載の小型分光計システム。
（項目１２）
前記フーリエ変換集束要素の前記焦点面は、前記光検出器の感光表面と実質的に一致している、項目１１に記載の小型分光計システム。
（項目１３）
前記フーリエ変換集束要素の前記焦線は、垂直である、項目１１に記載の小型分光計システム。
（項目１４）
マイクロレンズアレイをさらに備えている、項目１に記載の小型分光計システム。
（項目１５）
前記マイクロレンズアレイは、前記第１のフーリエ変換集束要素の前記焦点面内に位置している、項目１４に記載の小型分光計システム。
（項目１６）
前記検出器は、前記マイクロレンズが前記光検出器上に前記光学フィルタの複数の画像を形成するように、光軸に対して実質的に垂直な面に位置している、項目１４に記載の小型分光計システム。
（項目１７）
前記光学フィルタは、異なる中心波長を伴う複数のサブフィルタを備えている、項目１４に記載の小型分光計システム。
（項目１８）
第２のフーリエ変換集束要素をさらに備え、前記マイクロレンズアレイは、円柱レンズのアレイを備え、２つの前記集束要素のうちの第１の要素の前記焦点面に位置し、前記光検出器は、２つの前記集束要素のうちの第２の要素の前記焦点面に位置している、項目１４に記載の小型分光計システム。
（項目１９）
前記サンプルと前記光学フィルタとの間に配置されている拡散器をさらに備えている、項目１に記載の小型分光計システム。
（項目２０）
前記第１のフーリエ変換集束要素は、（ａ）平凸レンズ、（ｂ）両凸レンズ、および（ｃ）非球面レンズから成る群より選択されるレンズであり、さらに、前記光学フィルタは、前記第１のフーリエ変換集束要素と前記サンプルとの間に位置している、項目１に記載の小型分光計システム。
（項目２１）
前記光学フィルタは、異なる中心波長を伴う複数のサブフィルタを備えている、項目２０に記載の小型分光計システム。
（項目２２）
前記複数のサブフィルタは、中心点の周囲で半径方向に配置されている、項目２１に記載の小型分光計システム。
（項目２３）
前記光学フィルタは、前記光検出器にごく接近している、項目２０に記載の小型分光計システム。
（項目２４）
前記光検出器は、２次元画像センサである、項目１に記載の小型分光計システム。
（項目２５）
前記サンプルを照射するように適合されている光源をさらに備えている、項目１に記載の小型分光計システム。
（項目２６）
前記光源は、レーザである、項目２５に記載の小型分光計システム。
（項目２７）
前記光源は、発光ダイオードである、項目２５に記載の小型分光計システム。
（項目２８）
前記サンプルに対する所定の場所で前記光源からの光を集束させるように適合されている集束システムをさらに備えている、項目２５に記載の小型分光計システム。
（項目２９）
前記集束システムは、自動焦点システムである、項目２８に記載の小型分光計システム。
（項目３０）
前記集束システムは、前記光源によって生成される光を前記サンプル上に集束させるレンズの位置を制御する、項目２８に記載の小型分光計システム。
（項目３１）
前記集束システムは、前記光源によって生成される光を前記サンプル上に集束させるレンズの光学性質を制御する、項目２８に記載の小型分光計システム。
（項目３２）
前記集束システムは、音声コイルモータを備えている、項目２８に記載の小型分光計システム。
（項目３３）
前記集束システムは、圧電モータを備えている、項目２８に記載の小型分光計システム。
（項目３４）
前記集束システムは、微小電気機械システム（ＭＥＭＳ）モータを備えている、項目２８に記載の小型分光計システム。
（項目３５）
前記サンプルから発する前記光は、照射時に前記サンプルによって散乱させられる光を含む、項目１に記載の小型分光計システム。
（項目３６）
前記スペクトルは、（ａ）分子振動スペクトル、（ｂ）分子回転スペクトル、および（ｃ）電子スペクトルから成る群より選択される、項目３５に記載の小型分光計システム。
（項目３７）
前記スペクトルは、ラマンスペクトルである、項目３６に記載の小型分光計システム。
（項目３８）
第２の光学フィルタをさらに備えている、項目３５に記載の小型分光計システム。
（項目３９）
照射時に前記サンプルから散乱させられる前記光は、照射時に前記サンプルによって反射される光を含む、項目３５に記載の小型分光計システム。
（項目４０）
前記サンプルから発する前記光は、前記サンプルから発する蛍光によって生成される光を含む、項目１に記載の小型分光計システム。
（項目４１）
通信ネットワークと通信するための手段をさらに備えている、項目１に記載の小型分光計システム。
（項目４２）
前記通信ネットワークは、無線通信ネットワークである、項目４１に記載の小型分光計システム。
（項目４３）
前記小型分光計システムは、前記通信ネットワークに関連付けられる移動通信デバイス内に封入されている、項目４１に記載の小型分光計システム。
（項目４４）
前記移動通信デバイスは、携帯電話である、項目４３に記載の小型分光計システム。
（項目４５）
前記通信ネットワークと通信しているスペクトル情報のデータベースをさらに備えている、項目４１に記載の小型分光計システム。
（項目４６）
前記データベースは、リアルタイムで連続的に更新可能である、項目４５に記載の小型分光計システム。
（項目４７）
ローカルデジタルプロセッサをさらに備えている、項目１に記載の小型分光計システム。
（項目４８）
前記ローカルデジタルプロセッサは、（ａ）前記小型分光計システムを操作するためのアルゴリズム、（ｂ）前記小型分光計システムによって取得される未加工スペクトルデータを処理するためのアルゴリズム、（ｃ）前記小型分光計システムによって取得されるデータをデータベースに記憶されたデータと比較するためのアルゴリズム、および（ｃ）前記小型分光計システムによって取得されるスペクトルデータを遠隔サーバに伝送するためのアルゴリズムから成る群より選択される少なくとも１つのアルゴリズムを実行するようにプログラムされている、項目４７に記載の小型分光計システム。
（項目４９）
ローカルメモリをさらに備えている、項目１に記載の小型分光計システム。
（項目５０）
前記ローカルメモリは、（ａ）固定メモリ、および（ｂ）揮発性メモリから成る群より選択される、項目４９に記載の小型分光計システム。
（項目５１）
前記ローカルメモリ内に記憶されたスペクトル情報のローカルデータベースをさらに備えている、項目４９に記載の小型分光計システム。
（項目５２）
前記小型分光計システムは、オーブンに組み込まれている、項目１に記載の小型分光計システム。
（項目５３）
前記オーブンは、電子レンジである、項目５２に記載の小型分光計システム。
（項目５４）
前記小型分光計システムは、冷蔵庫に組み込まれている、項目１に記載の小型分光計システム。
（項目５５）
前記分光計システムの場所を決定するためのＧＰＳ測位手段をさらに備えている、項目１に記載の小型分光計システム。
（項目５６）
前記サンプルは、食品を含む、項目１に記載の小型分光計システム。
（項目５７）
分散光学部を使用することなく、サンプルのスペクトルを取得する方法であって、前記方法は、
サンプルを提供することと、
前記サンプルから発する光を光学フィルタに衝突させることであって、前記光学フィルタの中心波長は、前記光学フィルタに衝突する前記光の入射角に依存する、ことと、
前記光を第１のフーリエ変換集束要素まで通過させることと、
所定の面Ｐ１内の位置の関数として光の強度を測定することと、
前記面Ｐ１内の位置の関数としての光の強度をスペクトルに変換することと
を含む、方法。
（項目５８）
所定の面Ｐ１内の位置の関数として光の強度を測定する前記ステップは、前記第１のフーリエ変換集束要素の焦点面と実質的に一致している面内の位置の関数として光の強度を測定することを含む、項目５７に記載の方法。
（項目５９）
前記サンプルから発する光を光学フィルタに衝突させる前記ステップは、前記光を第１のフーリエ変換集束要素まで通過させる前記ステップに先行し、前記光学フィルタを通過する前記光は、その波長に従って角度符号化され、前記光は、空間的に符号化されるように前記フーリエ変換集束要素によって変換される、項目５７に記載の方法。
（項目６０）
前記光を第１のフーリエ変換集束要素まで通過させる前記ステップは、前記サンプルから発する光を光学フィルタに衝突させる前記ステップに先行する、項目５７に記載の方法。
（項目６１）
画像センサを前記所定の面Ｐ１内に設置することをさらに含み、前記画像センサは、位置の関数として前記画像センサに衝突する光の強度を測定するように適合されている、項目５７に記載の方法。
（項目６２）
前記光を第１のフーリエ変換集束要素まで通過させる前記ステップは、前記光を平凸レンズまで通過させるステップを含み、前記平凸レンズの湾曲した面は、前記光学フィルタに対面している、項目５７に記載の方法。
（項目６３）
前記サンプルから発する光を光学フィルタに衝突させる前記ステップは、前記サンプルから発する光を、複数のサブフィルタを備えている光学フィルタに衝突させるステップを含む、項目５７に記載の方法。
（項目６４）
各々が所定の面Ｐ２に形成される光学フーリエ変換をサンプリングするように配向されているマイクロレンズアレイを前記所定の面Ｐ２内に設置し、それにより、所定の面Ｐ３に前記光学フィルタの開口の微小画像を作成し、それにより、前記マイクロレンズに到達する、特定のサブフィルタにおける光の起源に従って、前記光学フーリエ変換のサンプリング点を分解することをさらに含む、項目６３に記載の方法。
（項目６５）
前記所定の面Ｐ２は、前記第１のフーリエ変換集束要素の焦点面と実質的に同一である、項目６４に記載の方法。
（項目６６）
前記所定の面Ｐ３内の位置の関数として、前記画像センサに衝突する光の強度を測定するように適合されている画像センサを設置するステップをさらに含む、項目６４に記載の方法。
（項目６７）
単一の軸に沿って前記複数のサブフィルタを設置することと、
第２のフーリエ変換集束要素に前記角度符号化された光を通すことと
をさら含み、
前記第２のフーリエ変換集束要素は、前記第２のフーリエ変換集束要素によって生成される前記空間的に符号化された光が、前記第１のフーリエ変換集束要素によって生成される前記空間的に符号化された光の配向に対する角度で符号化されるように、かつ、前記第２のフーリエ変換集束要素の焦点面が前記所定の面Ｐ３と実質的に同一であるように配置され、
前記第１のフーリエ変換集束要素と前記所定の面Ｐ３との間にマイクロレンズアレイを設置する前記ステップは、円柱マイクロレンズを備えているマイクロレンズアレイを設置することをさらに含み、前記マイクロレンズアレイは、前記マイクロレンズアレイを通過する光が、前記単一の軸と平行な軸に沿って前記面内に配置されるように配置されている、
項目６４に記載の方法。
（項目６８）
前記角度符号化された光を第１のフーリエ変換集束要素まで通過させる前記ステップは、前記角度符号化された光を第１の平凸円柱レンズまで通過させるステップを含み、前記第１の平凸円柱レンズの湾曲した面は、前記光学フィルタに対面しており、第２のフーリエ変換集束要素に前記角度符号化された光を通す前記ステップは、前記角度符号化された光を第２の平凸円柱レンズまで通過させるステップを含み、前記第２の平凸円柱レンズの湾曲した面は、前記光学フィルタに対面している、項目６７に記載の方法。
（項目６９）
前記第１のフーリエ変換集束要素の焦点面内に前記マイクロレンズアレイを設置することと、
前記第２のフーリエ変換集束要素の焦点面内に前記光検出器を設置することと
をさらに含む、項目６７に記載の方法。
（項目７０）
前記光を拡散器に通すことをさらに含む、項目５７に記載の方法。
（項目７１）
光源で前記サンプルを照射することをさらに含む、項目５７に記載の方法。
（項目７２）
前記サンプルを照射する前記ステップは、レーザおよび発光ダイオードから成る群より選択される光源で前記サンプルを照射することを含む、項目７１に記載の方法。
（項目７３）
前記スペクトルは、（ａ）分子振動スペクトル、（ｂ）分子回転スペクトル、および（ｃ）電子スペクトルから成る群より選択される、項目５６に記載の方法。
（項目７４）
前記スペクトルは、蛍光スペクトルである、項目７３に記載の方法。
（項目７５）
前記スペクトルは、ラマンスペクトルである、項目７３に記載の方法。
（項目７６）
前記蛍光信号から前記ラマン信号を分離するステップをさらに含む、項目７５に記載の方法。
（項目７７）
前記光源から発する光を前記サンプルに対する所定の場所に集束させるステップをさらに含む、項目７１に記載の方法。
（項目７８）
前記光源から発する光を集束させる前記ステップは、自動焦点システムを使用して、前記光源から発する光を集束させるステップを含む、項目７７に記載の方法。
（項目７９）
自動焦点システムを使用して、前記光源から発する光を集束させる前記ステップは、
前記分光計によって取得される前記信号をリアルタイムで分析することと、
それに応じて、前記光が前記サンプルにおける最適な信号抽出点に集束されるように、前記自動焦点システムに命令することと
をさらに含む、項目７８に記載の方法。
（項目８０）
スペクトル情報のデータベースとの比較によって、取得される前記スペクトルを分析することをさらに含む、項目５７に記載の方法。
（項目８１）
分析する前記ステップは、（ａ）前記スペクトルをスペクトルデータベース内のスペクトルと比較するステップ、（ｂ）主成分分析を使用することによって、前記スペクトルをスペクトルデータベース内のスペクトルと比較するステップ、（ｃ）部分最小二乗分析を使用することによって、前記スペクトルをスペクトルデータベース内のスペクトルと比較するステップ、および（ｄ）ニューラルネットワークアルゴリズムを使用することによって、前記スペクトルをスペクトルデータベース内のスペクトルと比較するステップから選択される、少なくとも１つのステップを含む、項目８０に記載の方法。
（項目８２）
前記スペクトルを前記スペクトルデータベースに追加することをさらに含む、項目８０に記載の方法。
（項目８３）
前記スペクトルを遠隔処理ユニットに伝送することと、
分析する前記ステップを行うために前記遠隔処理ユニットを使用することと、
分析する前記ステップの結果を前記ユーザに伝送することと
をさらに含む、項目８０に記載の方法。
（項目８４）
伝送する前記ステップは、無線ネットワーク上で伝送することによって行われる、項目８３に記載の方法。
（項目８５）
前記第１のフーリエ変換集束要素の焦点面内の位置の関数として光の強度を変換する前記ステップで取得される前記スペクトルの予備分析を行うことをさらに含む、項目８３に記載の方法。
（項目８６）
前記スペクトルの予備分析を行う前記ステップは、ローカル処理ユニットを使用して行われる、項目８５に記載の方法。
（項目８７）
前記スペクトルの予備分析を行う前記ステップは、遠隔で行われる、項目８５に記載の方法。
（項目８８）
前記スペクトルの予備分析を行う前記ステップは、
複数の独立測定値を平均するステップ、
光学収差を補うステップ、および
雑音低減アルゴリズムを使用して、検出器雑音を低減するステップ
から成る群より選択される、少なくとも１つのステップをさらに含む、
項目８５に記載の方法。
（項目８９）
前記スペクトルが取得される場所を所定の遠隔場所に伝送することをさらに含む、項目５７に記載の方法。
（項目９０）
前記スペクトルが取得される場所を所定の遠隔場所に伝送する前記ステップは、ＧＰＳの使用によって前記スペクトルが取得される場所を決定するステップをさらに含む、項目５７に記載の方法。
（項目９１）
前記サンプルから発する光を光学フィルタに衝突させる前記ステップであって、前記光学フィルタの中心波長は、前記光学フィルタに衝突する前記光の入射角に依存する、前記ステップ、
前記光を第１のフーリエ変換集束要素まで通過させる前記ステップ、および
前記面Ｐ１内の位置の関数として光の強度を測定する前記ステップは、
光学要素を使用することによって行われ、前記光学要素の全ては、移動通信デバイス内またはその上に配置されている、項目５７に記載の方法。
（項目９２）
前記移動通信デバイスは、携帯電話である、項目９１に記載の方法。
（項目９３）
前記サンプルから発する光を光学フィルタに衝突させる前記ステップであって、前記光学フィルタの中心波長は、前記光学フィルタに衝突する前記光の入射角に依存する、前記ステップ、
前記光を第１のフーリエ変換集束要素まで通過させる前記ステップ、および
前記面Ｐ１内の位置の関数として光の強度を測定する前記ステップは、
光学要素を使用することによって行われ、前記光学要素の全ては、オーブン内またはその上に配置されている、項目５７に記載の方法。
（項目９４）
前記オーブンは、電子レンジである、項目９３に記載の方法。
（項目９５）
前記サンプルから発する光を光学フィルタに衝突させる前記ステップであって、前記光学フィルタの中心波長は、前記光学フィルタに衝突する前記光の入射角に依存する、前記ステップ、
前記光を第１のフーリエ変換集束要素まで通過させる前記ステップ、および
前記面Ｐ１内の位置の関数として光の強度を測定する前記ステップは、
光学要素を使用することによって行われ、前記光学要素の全ては、冷蔵庫内またはその上に配置されている、項目５７に記載の方法。
（項目９６）
前記サンプルは、食品を含む、項目５７に記載の方法。
（項目９７）
前記サンプルは、薬剤を含む、項目５７に記載の方法。